(57)【要約】      （修正有）【課題】スカムの移送効率を著しく高めることができ、いかなる場所でも使用することができ、更には、移送方向を自由に変更することができる浮上式浮遊物移送装置の提供。【解決手段】水面に浮設され、フレーム３によって連結された少なくとも２つのフロート２と、フレーム２に支持された水中ポンプ４と、水中ポンプ４の水吐出口４１に接続された垂直パイプ５と、垂直パイプ５に接続されたノズルクランプ６と、ノズルクランプ６に支持された水平パイプ７と、水平パイプ７に設けられた複数のノズル８とを有しており、水中ポンプ４によって吸入された水が、水吐出口４１から垂直パイプ５、ノズルクランプ６及び水平パイプ７を介して複数のノズル８に供給され、ノズル８から水が噴射される構成の浮上式浮遊物移送装置１。【選択図】図１
2017202433.tif 000002
【特許請求の範囲】
【請求項１】
水面に浮設され、フレームによって連結された少なくとも２つのフロートと、
前記フレームに支持された水中ポンプと、
この水中ポンプの水吐出口に接続された垂直パイプと、この垂直パイプに接続されたノズルクランプと、このノズルクランプに支持された水平パイプと、この水平パイプに設けられた複数のノズルとを有しており、
前記水中ポンプによって吸入された水が、前記水吐出口から前記垂直パイプ、前記ノズルクランプ及び前記水平パイプを介して前記ノズルに供給され、このノズルから水が噴射される構成であることを特徴とする浮上式浮遊物移送装置。
【請求項２】
水平パイプが、左側水平パイプと右側水平パイプによって構成され、それぞれの水平パイプが、ノズルクランプに伸縮自由に支持されていることを特徴とする請求項１に記載の浮上式浮遊物移送装置。
【請求項３】
垂直パイプが、上側垂直パイプと下側垂直パイプによって構成され、伸縮自由であることを特徴とする請求項１又は２に記載の浮上式浮遊物移送装置。
【請求項４】
ノズルが、水平パイプに対して角度を変更可能な構成であることを特徴とする請求項１〜３のいずれかに記載の浮上式浮遊物移送装置。
【請求項５】
水平パイプが、ノズルクランプに対し回動自由であり、左右の水平パイプをそれぞれ回動させることによって、ノズルからの水噴射方向及び角度を調整可能な構成であることを特徴とする請求項１〜４のいずれかに記載の浮上式浮遊物移送装置。
【請求項６】
操作部材を連結する止着部を有することを特徴とする請求項１〜５のいずれかに記載の浮上式浮遊物移送装置。
【発明の詳細な説明】
【技術分野】
【０００１】
本発明は、浮上式浮遊物移送装置に関し、詳しくは、海、河川、貯水池又は貯水槽等において、液面又は水中に浮遊するスカム等浮遊物を所定の方向に寄せ集めるための浮上式浮遊物移送装置に関する。
【背景技術】
【０００２】
従来から、塗装工場・食品工場・鉄鋼所・火力発電所・水産加工場・機械類工場等における種々処理槽や、海又は河川の液面に浮上するスカム・油等の液面浮遊物を回収するための装置として、液面浮遊物回収装置が知られている。この液面浮遊物回収装置としては、液面付近に浮上保持させたゲート部から液面浮遊物を流入させ、このゲート部に接続した回収管を介して処理槽外に配設した分離装置に、回収した液面浮遊物を移送して分離する構成のものが知られている。
【０００３】
しかし、この液面浮遊物回収装置を利用した海面浮遊物の回収作業では、装置の近辺に浮遊するスカムを回収することはできるが、距離のあるスカムを回収することができないという問題があった。特に、浮遊するスカムが、高粘度の油等の場合は流動性が乏しく、このスカムを連続的に回収することができないという問題があった。
【０００４】
上記のような問題を解決するために、特許文献１（特許第３３４１１３５号）に開示された技術が知られている。
特許文献１に記載の技術は、
『圧力流体のスプレーを噴出させてスカムを移送するスカム移送装置、移送されたスカムを吸引管の吸込口に寄せ集めるスカム収集装置および収集したスカムを圧力流体により作動するジェットポンプを用い吸引管と排出管を通して吸引排出しスカム貯留槽に送るスカム排出装置からなるスカム除去装置と、貯留したスカムに加圧空気溶解水を作用させて加圧浮上分離する加圧浮上装置および濃縮されたスカムを脱水する脱水装置からなるスカム処理装置を備えるスカム除去・処理設備」である。
即ち、「圧力流体スプレー」を噴射させて、スカムの如き浮遊物を移送する技術である。
【０００５】
しかし、この技術は、図５、６又は９等に示されるように、水面上方にスプレーノズルを配置し、このスプレーノズルを水面に近い位置で特定方向へ移動させ、スカムの如き浮遊物を特定方向へ移送する装置であり、浮遊物が浮遊している水面が波打ち、液面変動がある環境下では、移送ができない又は移送効率が悪いという問題がある。
また、このスプレーノズルは、スカム貯溜槽の両側に横断して取り付けられる構成であるため、そのスカム貯溜槽でしか使用できず、更には、所定の位置にしか移動することができないため、浮遊物の浮遊する位置によっては、これを移送することができないという問題があった。
【先行技術文献】
【特許文献】
【０００６】
【特許文献１】特許第３３４１１３５号
【発明の概要】
【発明が解決しようとする課題】
【０００７】
そこで、本発明の課題は、スカムの移送効率を著しく高めることができ、いかなる場所でも使用することができ、更には、移送方向を自由に変更することができる浮上式浮遊物
移送装置を提供することにある。
【課題を解決するための手段】
【０００８】
上記本発明の課題は、下記の手段により達成される。
１．水面に浮設され、フレームによって連結された少なくとも２つのフロートと、
前記フレームに支持された水中ポンプと、
この水中ポンプの水吐出口に接続された垂直パイプと、この垂直パイプに接続されたノズルクランプと、このノズルクランプに支持された水平パイプと、この水平パイプに設けられた複数のノズルとを有しており、
前記水中ポンプによって吸入された水が、前記水吐出口から前記垂直パイプ、前記ノズルクランプ及び前記水平パイプを介して前記ノズルに供給され、このノズルから水が噴射される構成であることを特徴とする浮上式浮遊物移送装置。
【０００９】
２．水平パイプが、左側水平パイプと右側水平パイプによって構成され、それぞれの水平パイプが、ノズルクランプに伸縮自由に支持されていることを特徴とする請求項１に記載の浮上式浮遊物移送装置。
【００１０】
３．垂直パイプが、上側垂直パイプと下側垂直パイプによって構成され、伸縮自由であることを特徴とする請求項１又は２に記載の浮上式浮遊物移送装置。
【００１１】
４．ノズルが、水平パイプに対して角度を変更可能な構成であることを特徴とする請求項１〜３のいずれかに記載の浮上式浮遊物移送装置。
【００１２】
５．水平パイプが、ノズルクランプに対し回動自由であり、左右の水平パイプをそれぞれ回動させることによって、ノズルからの水噴射方向及び角度を調整可能な構成であることを特徴とする請求項１〜４のいずれかに記載の浮上式浮遊物移送装置。
【００１３】
６．操作部材を連結する止着部を有することを特徴とする請求項１〜５のいずれかに記載の浮上式浮遊物移送装置。
【発明の効果】
【００１４】
前記１に示す発明によれば、装置全体がフロートによって水面に浮上しており、波打つ等して水面が変動する環境であっても、水面とノズルの距離は一定に保たれるので、移送効率を維持することができ、従来の技術に比して、移送効率を著しく高めることができる。
【００１５】
また、前記１に示す発明によれば、装置自体が水面に浮上する構成であるため、水面の他に装置を設置する場所が不要であり、持ち運びも容易であることから、いかなる場所でも使用することができる。
更にまた、装置自体が水面に浮上し、水面を自在に移動することができるため、浮遊物の移送方向を自由に変更することができる。
【００１６】
前記２に示す発明によれば、水平パイプが伸縮可能であるため、使用する場所が狭い場合には、この水平パイプを縮めて使用することができ、使用する場所が広い場合には、この水平パイプを伸ばして、スカム等の浮遊物を移送する範囲を広げることができる。
【００１７】
前記３に示す発明によれば、垂直パイプが伸縮可能であり、この垂直パイプの伸縮により、水平パイプに設けられたノズルの高さ位置を変更することができる。これにより、水面とノズルの位置が調整可能であり、スカム等浮遊物の種類、量や特性に応じて、ノズルからの水噴射位置を最適化することができる。
【００１８】
前記４に示す発明によれば、水平パイプに対して、これに設けられたノズルの角度を変更可能な構成であり、これにより、ノズルからスカム等浮遊物への水噴射角度を調整することができる。
【００１９】
前記５に示す発明によれば、水平パイプがノズルクランプに対し回動自由であることから、ノズルの方向を装置の正面側又は背面側に変更することができる。しかも、左右の水平パイプは個別に回動させることができるので、一方の水平パイプのノズルは、装置の正面側を向け、他方の水平パイプのノズルは、装置の背面側を向けるといった設定が可能である。即ち、全ノズルからの水噴射方向を、装置の正面側又は背面側の一方向とすることができるし、左右の水平パイプで、ノズルからの水噴射方向を反対にすることもできる。
【００２０】
前記６に示す発明によれば、装置に、ロープ等の操作部材を連結するための止着部を設け、この操作部材によって、装置を固定することもできるし、任意の方法に移動させることもできる。
【図面の簡単な説明】
【００２１】
【図１】本発明に係る浮上式浮遊物移送装置の一実施例を表す斜視図
【図２】本発明に係る浮上式浮遊物移送装置の一実施例を表す正面図
【図３】本発明に係る浮上式浮遊物移送装置の一実施例を表す平面図
【図４】本発明に係る浮上式浮遊物移送装置の一実施例を表す右側面図
【図５】本発明に係る浮上式浮遊物移送装置の使用状況を表す概略説明図
【発明を実施するための形態】
【００２２】
本発明に係る浮上式浮遊物移送装置１は、工業排水を貯水する貯水槽又は貯水池における浮遊した不純物や汚れ、海難事故等によって海に流出した浮遊した石油、その他、海、河川又は池等における浮遊した汚染物（浮遊物）等を、液面浮遊物回収装置（スカム回収装置）で回収する作業の際に、スカム等の浮遊物を回収装置の方向へ移送するための装置である。換言すれば、液面浮遊物回収装置（スカム回収装置）は、スカム等を回収する「ちりとり」の役割を担うのに対して、本発明に係る浮上式浮遊物移送装置は、スカム等を寄せ集める「ほうき」の役割を担うものである。
【００２３】
以下、添付の図面に従って本発明を詳細に説明する。
図１に、本発明に係る浮上式浮遊物移送装置（以下、単に「浮上式浮遊物移送装置」ともいう。）１の一実施例を表す斜視図を示す。図２〜４には、本発明に係る浮上式浮遊物移送装置１の一実施例を表す正面図、平面図及び右側面図を示す。図５には、本発明に係る浮上式浮遊物移送装置１の使用状況を表す概略説明図を示す。
【００２４】
図１〜４に示されるように、浮上式浮遊物移送装置１は、フロート２、フレーム３、水中ポンプ４、垂直パイプ５、ノズルクランプ６、水平パイプ７及びノズル８から構成される。
【００２５】
フロート２は、浮上式浮遊物移送装置１を、液面（水面）に浮上させるための「浮き」である。
フロート２は、少なくとも２つが設けられる。これは、フロート２によって浮上式浮遊物移送装置１が水面に浮かべられた際、その姿勢を安定させるためである。図１〜４では、左側フロート２１と右側フロート２２とが左右に並列された構成であるが、この配置に限定されるものではない。また、フロート２を３つ設け、各フロート２を三角形の頂点に配置することも例示でき、更に、フロート２を４つ以上設けた構成とすることもできる。
【００２６】
フロート２の形態や材質に限定はなく、浮上式浮遊物移送装置１を液面に浮上させることができるだけの浮力を得られればよい。フロート２の形態を例示すれば、図１〜４に示されるように、合成樹脂等の軽量素材で成型された円盤形状であって、中空又は内部にウレタン等が詰められたものを挙げることができる。また、他の例を挙げれば、浮き輪の如き内部に空気が封止された輪形体や、水泳用ビート板の如き軽量合成樹脂等で形成された板状体を例示することができる。
【００２７】
フレーム３は、少なくとも２つ設けられたフロート２を、連結するための部材であると共に、水中ポンプ４を支持するための部材でもある。
図１〜４に示される実施例は、フレーム３が、上部フレーム３１及び下部フレーム３２によって構成される。上部フレーム３１は、フロート２の上方に位置し、左側フロート２１と右側フロート２２とを上方から連結し保持する構成である。一方、下部フレーム３２は、フロート２の下方に位置し、左側フロート２１と右側フロート２２とを下方から連結し保持する構成である。即ち、上部フレーム３１と下部フレーム３２によって、左側フロート２１と右側フロート２２とが、挟持される構成である。
【００２８】
前述のとおり、フレーム３は、水中ポンプ４と結合・固定されることによって、これを支持する構成である。図１〜４に示される実施例では、浮上式浮遊物移送装置１を平面視（図３）した場合に、左側フロート２１と右側フロート２２の間に水中ポンプ４が配置された構成であり、この場合、フレーム３は、部材の中心部分で水中ポンプ４を支持する構成である。また、フレーム３は、上部フレーム３１及び下部フレーム３２の２つの部材から構成されているので、これら２つのフレーム３１・３２によって、水中ポンプ４を支持する構成である。
【００２９】
フレーム３と水中ポンプ４との固定手段に限定はない。例えば、フレーム３と水中ポンプ４に予めボルト孔を設けておき、これを用いてボルト固定する手段を挙げることができる。また、溶接等の手段を用いてもよい。
【００３０】
水中ポンプ４は、貯水槽等の水中から水を吸引し、これを水吐出口４１から吐出する装置である。水中ポンプ４の構成に限定はなく、水中から水を吸引し、これを吐出することができる構成であればよく、公知公用の水中ポンプを特別の制限なく採用することができる。使用する水中ポンプ４として、動力が４００Ｗ、流量が１００Ｌ／分のものや、動力が１５０Ｗ、流量が６０Ｌ／分のものを例示することができる。
【００３１】
垂直パイプ５は、水中ポンプ４の水吐出口４１に接続され、上方に水を送出する管である。垂直パイプ５の形態や材質に限定はなく、水や液体を通すパイプとして公知公用のものを特別の制限無く採用することができる。
【００３２】
垂直パイプ５は、上側垂直パイプ５１と下側垂直パイプ５２の２つのパイプによって構成され、この２つのパイプによって伸縮自由な構成であることが好ましい。この構成のより、ノズル８の高さ位置を変更することができ、水面とノズル８の高さ位置が調整可能であり、スカム等浮遊物の種類、量や特性に応じて、ノズル８からの水噴射位置を最適化することができる。
【００３３】
上側垂直パイプ５１と下側垂直パイプ５２とを、伸縮自由とするための構成に限定はなく、公知公用の技術を特別の制限無く採用することができる。例えば、図１〜４に示されるように、上側垂直パイプ５１を下側垂直パイプ５２より小径とし、上側垂直パイプ５１が下側垂直パイプ５２に挿通可能な構成、即ち摺動可能な構成とし、これをロックナット（垂直ロックナット５３）を用いて、垂直方向への摺動の停止又は解除をする構成を挙げることができる。なお、ロックナットとは、これを締める又は緩めることによって、２本
のパイプを伸縮操作することができる部材であり、本発明における垂直ロックナット５３は、公知公用のロックナットを特別の制限無く採用することができる。
【００３４】
ノズルクランプ６は、垂直パイプ５と水平パイプ７とを接続し、水等の液体を通過させることができる接続具である。図１〜４に示されるノズルクランプ６は、略Ｔ字形状であり、下部で垂直パイプ５と接続され、左右側部で水平パイプ７と接続された構成である。
【００３５】
水平パイプ７は、ノズルクランプ６の左右側部に接続され、水平方向に水を送出する管である。水平パイプ７の形態や材質に限定はなく、水や液体を通すパイプとして公知公用のものを特別の制限無く採用することができる。
【００３６】
水平パイプ７は、左側水平パイプ７１と左側水平パイプ７２の２つのパイプによって構成され、それぞれのパイプが水平方向に伸縮自由な構成であることが好ましい。この構成のより、水平パイプ７の長さや、ノズル８の水平方向の位置を変更することができ、使用する場所が狭い場合には、この水平パイプ７を縮めて使用することができ、使用する場所が広い場合には、この水平パイプ７を伸ばして、スカム等の浮遊物を移送する範囲を広げることができる。
【００３７】
左側水平パイプ７１と右側水平パイプ７２とを伸縮自由とするための構成に限定はなく、公知公用の技術を特別の制限無く採用することができる。例えば、図１〜４に示されるように、左側水平パイプ７１と右側水平パイプ７２をそれぞれ、径の異なる２本から構成し、小径のパイプを大径のパイプに挿通・摺動可能な構成とし、これをロックナット（水平ロックナット７３）を用いて摺動の停止又は解除をする構成を挙げることができる。
【００３８】
また、ノズルクランプ６に対して、左側水平パイプ７１と右側水平パイプ７２を挿通可能な構成、即ち水平方向に摺動可能な構成とし、ノズルクランプ６側に、水平ロックナット７３を設ければ、このロックナット（水平ロックナット７３）を用いて、水平方向へのの摺動の停止又は解除をすることができる。
なお、水平ロックナット７３は、前述した垂直ロックナット５３と同様の構成であり、本発明における水平ロックナット７３は、公知公用のロックナットを特別の制限無く採用することができる。
【００３９】
ノズル８は、水平パイプ７に設けられる。水中ポンプ４によって吸入された水が、水吐出口４１から垂直パイプ５、ノズルクランプ６及び水平パイプ７を介してノズル８に供給され、このノズル８から水が噴射される構成である。
【００４０】
図１〜４に示されるように、ノズル８は、複数個が設けられ、その数量は、２以上であれば他の限定はない。また、左側水平パイプ７１と右側水平パイプ７２に、それぞれ少なくとも１つのノズル８が設けられ、それぞれ２つ以上のノズル８が設けられることが好ましい。
【００４１】
ノズル８は、水平パイプ７に対して角度を変更可能な構成であり、水の噴射方向を任意に変更できることが好ましい。これにより、ノズルからスカム等浮遊物への水噴射角度を調整することができる。
【００４２】
水平パイプ７は、ノズルクランプ６に対して回動自由であることが好ましい。これにより、左右の水平パイプ７をそれぞれ回動させることによって、ノズル８からの水噴射方向及び水噴射角度が調整可能となる。
この構成によれば、ノズル８の水噴射方向を、装置の正面側又は背面側に任意に変更することができる。しかも、左右の水平パイプ７１・７２は、個別に回動させることができ
るので、一方の水平パイプのノズル８は、装置の正面側を向け、他方の水平パイプのノズル８は、装置の背面側を向けるといった設定が可能である。即ち、全てのノズル８からの水噴射方向を、装置の正面側又は背面側の一方向とすることができるし、左右の水平パイプ７１・７２で、ノズル８からの水噴射方向を反対にすることもできる。
【００４３】
ノズル８は、図１〜４に示されるように、ノズルクランプ６に設けることもできる。図１〜４では、ノズル８が装置の後方に向けて取り付けられているが、取り付ける方向に限定はなく、前方に向けて取り付けてもよい。また、ノズル８を、前方及び後方の両方に取り付けてもよく、この場合、ノズル８を開栓又は閉栓できる構成とし、必要に応じて、一方の方向のみに水を噴射することが好ましい。
【００４４】
浮上式浮遊物移送装置１には、ロープ等の操作部材を連結するための止着部９が設けられることが好ましい。このロープ等操作部材によって、浮上式浮遊物移送装置１を固定することもできるし、任意の方法に移動させることもできる。
止着部９の取り付け位置や形態等に限定はないが、例えば、図１等に示されるように、フレーム３に対するフロート２の取り付け位置に設けたアイナットを用いることができる。
【００４５】
浮上式浮遊物移送装置１の使用状態について、図５に従って説明する。
図５は、貯水槽等の液層において、浮上式浮遊物移送装置１を使用した状態を表す概略説明図である。
【００４６】
図５では、浮上式浮遊物移送装置１が、水面Ｗに浮上した状態である。浮上式浮遊物移送装置１は、水中ポンプ４によって吸引された水等の液体を、ノズル８から噴射させる構成である。この噴射された水Ｊの噴射方向を、矢印で示す。この噴射水Ｊは、水面Ｗに浮遊するスカム等の浮遊物Ｓに対して噴射される。
【００４７】
このように、ノズル８から、スカム等の浮遊物Ｓに対して噴射水Ｊを噴射することで、その水流によって、所定の方向へスカム等の浮遊物Ｓを移送することができる。図５では、浮遊物回収装置Ｃに向かって、スカム等の浮遊物Ｓを移送するように、浮上式浮遊物移送装置１を浮設し、噴射水Ｊを噴射している。スカム等の浮遊物Ｓが、浮遊物回収装置Ｃの近辺に寄せ集められれば、浮遊物回収装置Ｃによるスカム等の浮遊物Ｓの回収効率を高めることができる。
【００４８】
また、表面が乾燥した浮遊物Ｓに対して、強い水流（噴射水Ｊ）を噴射することによって、この浮遊物Ｓを粉砕されるので、更に、浮遊物回収装置Ｃによる浮遊物Ｓの回収効率を高めることができる。
【産業上の利用可能性】
【００４９】
浮上式浮遊物移送装置１を用いれば、海、河川、湖又は池等における流出油や藻などによる水面に浮遊する汚染物、工場等における工業排水の貯水槽等に浮遊するスカムなど、液面に浮遊する浮遊物を所定の方向へ移送することができ、これらの回収作業を補助し、回収効率を高めるために利用可能である。
なお、本発明に係る浮上式浮遊物移送装置１の使用分野は限定されず、例えば、湖沼等における浮遊物移送にも利用でき、無線装置の積載等により、遠隔操作をすることも可能である。
【符号の説明】
【００５０】
１  浮上式浮遊物移送装置
２  フロート
２１  左側フロート
２２  右側フロート
３  フレーム
３１  上部フレーム
３２  下部フレーム
４  水中ポンプ
４１  水吐出口
５  垂直パイプ
５１  上側垂直パイプ
５２  下側垂直パイプ
５３  垂直ロックナット
６  ノズルクランプ
７  水平パイプ
７１  左側水平パイプ
７２  右側水平パイプ
７３  水平ロックナット
８  ノズル
９  止着部
Ｊ  噴射水
Ｗ  水面
Ｓ  浮遊物
Ｃ  浮遊物回収装置
【図１】
2017202433.tif 000003
【図２】
2017202433.tif 000004
【図３】
2017202433.tif 000005
【図４】
2017202433.tif 000006
【図５】
2017202433.tif 000007
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
水面に浮設され、フレームによって連結された少なくとも２つのフロートと、
前記フレームに支持された水中ポンプと、
この水中ポンプの水吐出口に接続された垂直パイプと、この垂直パイプに接続されたノズルクランプと、このノズルクランプに支持された水平パイプと、この水平パイプに設けられた複数のノズルとを有しており、
前記水中ポンプによって吸入された水が、前記水吐出口から前記垂直パイプ、前記ノズルクランプ及び前記水平パイプを介して前記ノズルに供給され、このノズルから水が噴射される構成であり、前記水平パイプが、左側水平パイプと右側水平パイプによって構成され、それぞれの水平パイプが、ノズルクランプに伸縮自由に支持されていることを特徴とする浮上式浮遊物移送装置。
【請求項２】
垂直パイプが、上側垂直パイプと下側垂直パイプによって構成され、伸縮自由であることを特徴とする請求項１に記載の浮上式浮遊物移送装置。
【請求項３】
ノズルが、水平パイプに対して角度を変更可能な構成であることを特徴とする請求項１又は２に記載の浮上式浮遊物移送装置。
【請求項４】
水平パイプが、ノズルクランプに対し回動自由であり、左右の水平パイプをそれぞれ回動させることによって、ノズルからの水噴射方向及び角度を調整可能な構成であることを特徴とする請求項１〜３のいずれかに記載の浮上式浮遊物移送装置。
【請求項５】
操作部材を連結する止着部を有することを特徴とする請求項１〜４のいずれかに記載の浮上式浮遊物移送装置。
【手続補正２】
【補正対象書類名】明細書
【補正対象項目名】０００８
【補正方法】変更
【補正の内容】
【０００８】
上記本発明の課題は、下記の手段により達成される。
１．水面に浮設され、フレームによって連結された少なくとも２つのフロートと、
前記フレームに支持された水中ポンプと、
この水中ポンプの水吐出口に接続された垂直パイプと、この垂直パイプに接続されたノズルクランプと、このノズルクランプに支持された水平パイプと、この水平パイプに設けられた複数のノズルとを有しており、
前記水中ポンプによって吸入された水が、前記水吐出口から前記垂直パイプ、前記ノズルクランプ及び前記水平パイプを介して前記ノズルに供給され、このノズルから水が噴射される構成であり、前記水平パイプが、左側水平パイプと右側水平パイプによって構成され、それぞれの水平パイプが、ノズルクランプに伸縮自由に支持されていることを特徴とする浮上式浮遊物移送装置。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
２．垂直パイプが、上側垂直パイプと下側垂直パイプによって構成され、伸縮自由であることを特徴とする請求項１に記載の浮上式浮遊物移送装置。
【手続補正５】
【補正対象書類名】明細書
【補正対象項目名】００１１
【補正方法】変更
【補正の内容】
【００１１】
３．ノズルが、水平パイプに対して角度を変更可能な構成であることを特徴とする請求項１又は２に記載の浮上式浮遊物移送装置。
【手続補正６】
【補正対象書類名】明細書
【補正対象項目名】００１２
【補正方法】変更
【補正の内容】
【００１２】
４．水平パイプが、ノズルクランプに対し回動自由であり、左右の水平パイプをそれぞれ回動させることによって、ノズルからの水噴射方向及び角度を調整可能な構成であることを特徴とする請求項１〜３のいずれかに記載の浮上式浮遊物移送装置。
【手続補正７】
【補正対象書類名】明細書
【補正対象項目名】００１３
【補正方法】変更
【補正の内容】
【００１３】
５．操作部材を連結する止着部を有することを特徴とする請求項１〜４のいずれかに記載の浮上式浮遊物移送装置。